(57)【要約】【課題】  従来の電池残量の表示方法では、電池残量アイコンなどの１つ分の表示領域に対し、１つの電池の残量を割り当てることで電池残量を表示している。しかし、２つの電池を有する機器においては、２つの電池の残量を同時に確認できない、電池残量表示領域が大きくなってしまうということなどがある。【解決手段】  電池残量アイコンもしくは電池残量インジケータの形状および表示色という２つのパラメータを変化させることにより、電池残量アイコンなど１つ分の表示領域に対し、２つの電池の残量を同時に表示させることが可能となる。また、片方の電池が消耗した場合や充電中においても、電池残量アイコンなどを確認することで２つの電池の状態を把握することが可能となる。【選択図】  図３
2009103564.tif 000002
【特許請求の範囲】
【請求項１】
２つの電池もしくは充電可能なバッテリと、前記電池の残量を検出する電池残量検出手段と、前記電池残量検出手段によって検出された電池残量を表示するための電池残量表示部を有する電池残量表示装置において、
電池１つ分の表示領域に、前記２つの電池の残量を同時に表示可能であり、前記２つの電池のうち、どちらか片方における電池残量を、前記電池残量表示部の形状の変化によって示し、もう一方の電池残量を、色によって示すことを特徴とする電池残量表示装置。
【請求項２】
前記電池残量表示部が、液晶の表示装置に表示された、電池を模した形状もしくは容易に電池を連想できる形状のアイコンであり、前記アイコンの形状および色により、前記２つの電池の残量を同時に表示することを特徴とする、請求項１に記載の電池残量表示装置。
【請求項３】
前記電池残量表示部が、複数の発光ダイオード（ＬＥＤ）により構成されている、電池を模した形状もしくは容易に電池を連想できる形状のインジケータであり、前記インジケータを構成するＬＥＤの点灯消灯に伴う発光部分の形状およびＬＥＤの発光色により、前記２つの電池の残量を同時に表示することを特徴とする、請求項１に記載の電池残量表示装置。
【請求項４】
前記２つの電池のうち、どちらか片方が消耗もしくは交換で機能しなくなり、もう一方の電池のみで駆動している状況において、前記アイコンもしくは前記インジケータの形状、色の変化もしくは表示の点滅により、ユーザーに片方の電池のみで駆動していることを知らせることを特徴とする、請求項２もしくは請求項３に記載の電池残量表示装置。
【請求項５】
前記２つの電池のうち、どちらか片方もしくは両方が充電可能なバッテリである状況において、前記アイコンもしくは前記インジケータの形状、色の変化もしくは表示の点滅により、ユーザーに片方もしくは両方のバッテリが充電中であることを知らせることを特徴とする、請求項２もしくは請求項３に記載の電池残量表示装置。
【発明の詳細な説明】
【技術分野】
【０００１】
本発明は、複数の電池と、電池残量表示部を有する機器の表示装置、表示方法に関するものである。
【背景技術】
【０００２】
従来の電池残量の表示方法には、１つの電池の残量を、電池残量インジケータの形状と色によって９段階で示すものがある（例えば、特許文献１参照。）。
【０００３】
従来の形状と色を用いた表示方法には、数字で現在の値を示し、数字の色で前回からの増減を示すものがある（例えば、特許文献２参照。）。
【特許文献１】特開2005-164250号公報
【特許文献２】特開平05-027700号公報
【発明の開示】
【発明が解決しようとする課題】
【０００４】
従来の電池残量の表示方法では、電池残量アイコンなどの１つ分の表示領域に対し、１つの電池の残量を割り当てることで電池残量を表示している。また、２つの電池を有する機器においては、（１）片方のみの電池残量を表示する、（２）周期的に電池残量表示を切り替えることで複数の電池の残量を表示する、（３）特定の操作により表示する電池残量を切り替える、（４）電池残量アイコンを２つ並べることで複数の電池の残量を表示する、といった電池残量表示方法が用いられている。しかし、（１）は片方の電池の残量のみしか確認できず、（２）と（３）は２つの電池残量を同時に確認することができず、（４）は電池残量表示領域が大きくなってしまうことがあった。故にユーザーにとっては、２つの電池の残量を確認するために、表示の切り替わりを待つか、表示を切り替えるための操作をしなければならないという余計な手間が発生していた。
【０００５】
本出願に係る発明の目的は、２つの電池を有する機器において、１つ分の電池残量表示領域に２つ分の電池の残量を表示し、ユーザーにとっての余計な手間を不要とするためのものである。
【課題を解決するための手段】
【０００６】
上記目的を達成するため、本出願に係る第１の発明は、電池残量アイコンもしくは電池残量インジケータの形状および表示色を変化させることにより、２つの電池の残量を同時に表示することを特徴とする。
【０００７】
本出願に係る第２の発明は、液晶などの表示装置に表示された電池残量アイコンを電池を模した形状とし、アイコンの形状およびアイコン全体もしくは一部の表示色を変化させることにより、２つの電池の残量を同時に表示することを特徴とする。
【０００８】
本出願に係る第３の発明は、複数の発光ダイオード（ＬＥＤ）により構成されている電池残量インジケータを電池を模した形状とし、ＬＥＤの点灯消灯に伴う発光部分の形状およびＬＥＤの発光色を変化させることにより、２つの電池の残量を同時に表示することを特徴とする。
【０００９】
本出願に係る第４の発明は、片方の電池が消耗もしくは交換のために離脱している状況で、もう片方の電池のみで駆動する機器において、電池残量アイコンもしくは電池残量インジケータの形状、色の変化もしくは表示の点滅などにより、片方の電池のみでの駆動中であることをユーザーに知らせることを特徴とする。
【００１０】
本出願に係る第５の発明は、２つの電池の片方もしくは両方が充電可能なバッテリである場合に、電池残量アイコンもしくは電池残量インジケータの形状、色の変化もしくは表示の点滅などにより、片方もしくは両方のバッテリが充電中であることをユーザーに知らせることを特徴とする。
【発明の効果】
【００１１】
以上説明したように、本発明によれば、２つの電池を有する機器において、両方の電池の残量を、表示の切り替わりなどを待つことなく即時に確認することが可能となる。そのため、ユーザーにとっては電池残量を確認する時に発生する、表示の切り替わりを待つ時間もしくは表示を切り替えるための操作が不要となる。また、片方の電池が消耗している時や充電中などにも、電池残量アイコンもしくは電池残量インジケータを確認することで、即時に電池の状況を把握することが可能となるため、電池切れなどによるトラブルを防止することに繋がるという効果もある。
【発明を実施するための最良の形態】
【００１２】
次に、本発明の詳細を実施例の記述に従って説明する。
【００１３】
図１は本発明に係る液晶表示上の電池残量アイコンの一例を示したものである。電池の形状を模した枠１０１の中にセグメント１０２〜１０４が並んでおり、各セグメントの表示もしくは非表示の状況により、第１の電池の残量を表示する。一方、第２の電池の残量は電池残量アイコン全体、つまり枠１０１とセグメント１０２〜１０４のうち表示されているセグメントの表示色を変化させることでユーザーに知らせる。以上により、ユーザーは電池残量アイコンをみるだけで、第1の電池の残量と第２の電池の残量を同時に把握することが可能となる。このとき、ユーザーが電池の残量をより気にするべき方の電池を第１の電池とし形状で示す。（例えば、通常時に使用する外付けバッテリと、外付けバッテリ消耗時に使用する内蔵バッテリの構成の場合は、前者を第１の電池とする。）
【実施例１】
【００１４】
図２に示すように、第１の電池の残量によって各セグメントの表示状態を変化させる。例えば第１の電池の残量が十分である場合においては図２の（Ａ）のようにセグメント２０２〜２０４の全てを表示状態とし、電池残量が半分程度となった場合においては（Ｂ）のようにセグメント２０３と２０４を表示させてセグメント２０２は非表示とすることで、第１の電池の残量が減少していることをユーザーに知らせる。また、電池残量が残り僅かとなった場合は（Ｃ）のようにセグメント２０４のみを表示させ、第１の電池が消耗した場合もしくは第１の電池が外されている場合には（Ｄ）のようにセグメント２０２〜２０４の全てを非表示とし、枠２０１のみ表示することでユーザーに第１の電池の状況を知らせることができる。
【００１５】
同時に、図３に示すように、第２の電池の残量によって電池残量アイコンの色を変化させる。例えば第２の電池の残量が十分である場合においては図３の（Ａ）のように電池残量アイコン全体、つまり枠３０１とセグメント３０２〜３０４のうち表示されているセグメントの表示色を緑などの寒色もしくは白とし、電池残量が半分程度となった場合においては（Ｂ）のように電池残量アイコン全体を黄色のような注意を促す色とすることで、電池残量が減少していることをユーザーに知らせる。また、電池残量が残り僅かとなった場合は（Ｃ）のように電池残量アイコン全体を橙色とし、第２の電池が消耗した場合もしくは第２の電池が交換などのために外されている場合には（Ｄ）のように電池残量アイコン全体を赤色で表示することにより、ユーザーに第２の電池の状況を知らせることができる。なお、図３で示している状態は、第１の電池の残量が十分に残っているときの図であり、第１の電池の残量が減少した場合においては、図２で示したように一部のセグメントが非表示になることでこれを知らせる。
【実施例２】
【００１６】
２つの電池を有し、片方の電池が残量不足などの理由により使用不可能な状況下であり、もう一方の電池のみで駆動する機器において、第１の電池が消耗した場合、もしくは第１の電池が交換などのために外されている場合、図４に示すように電池残量アイコン内のセグメントを全て非表示状態とし、同時に電池残量アイコンの枠４０１を点滅させることにより、ユーザーに第１の電池が機能していないことを知らせることができる。なお、このとき第２の電池の残量は、電池残量アイコンの枠４０１の表示色によって知らせることができる。
【実施例３】
【００１７】
２つの電池を有し、片方の電池が残量不足などの理由により使用不可能な状況下であり、もう一方の電池のみで駆動する機器において、第１の電池が消耗した場合、もしくは第１の電池が交換などのために外されている場合、図５に示すように電池残量アイコンを通常の電池残量アイコン５０５より明らかに小さい形状とし、小さなセグメント５０２〜５０４の表示状態により第２の電池の残量を示す。これにより、ユーザーに第２の電池のみで駆動していることを知らせるとともに第２の電池の残量を知らせることができる。
【実施例４】
【００１８】
２つの電池を有し、片方の電池が残量不足などの理由により使用不可能な状況下であり、もう一方の電池のみで駆動する機器において、第１の電池が消耗した場合、もしくは第１の電池が交換などのために外されている場合、図６に示すようにセグメント６０２〜６０４の表示状態により第２の電池の残量を示すとともに、それらのうち表示されているセグメント、もしくは枠６０１を含めたアイコン全体を点滅させることで、第２の電池のみで駆動していることを知らせる。
【実施例５】
【００１９】
２つのバッテリの用途に差異の無い場合（例えば、両方とも外付けバッテリであり、通常時に併用され、片方が外されているときはもう片方のみで駆動する、などの場合）、より電池残量の少ない方の電池の残量を電池残量アイコンの形状で示し、もう片方を電池残量アイコンの色で示す。使用中に電池残量が逆転した場合は、それに伴い表示方法も変更することで、常に電池残量の少ない方の電池の残量を電池残量アイコンの形状で示すようにする。また、片方の電池が消耗した場合もしくは交換などのために外されている場合には、実施例２〜４のように電池残量アイコンの表示方法を変化させることで示すとともに、警告メッセージなどを表示することでどちらの電池が消耗したのかを示す。警告メッセージにもう片方の電池の残量を数値などで表示してもよい。（例えば、『Ａのバッテリを交換してください。Ｂのバッテリの残量はおよそ５０％です。』などの警告メッセージ。）
【実施例６】
【００２０】
外部の電源から片方もしくは両方のバッテリに充電を行う場合においては、図７に示すような電池残量アイコンなどを表示することで、充電中であることをユーザーに知らせる。また、第２の電池にも充電が行われているときには、図７に示すような電池残量アイコンなどの表示色において警告色から寒色への変化を繰り返すことにより第２の電池が充電中であることを示してもよい。
【実施例７】
【００２１】
片方の電池からもう片方のバッテリへ充電を行う場合においては、図８に示すような電池残量アイコンなどを表示することで、片方の電池からもう片方のバッテリへ充電を行っていることをユーザーに知らせる。また、充電先が第２の電池であるときには、図８に示すような電池残量アイコンなどの表示色において警告色から寒色への変化を繰り返すことにより第２の電池が充電中であることを示してもよい。
【実施例８】
【００２２】
本発明の実施の形態として、液晶表示上の電池残量表示方法について例示したが、本発明は、液晶表示上に限らず、電池残量表示部および複数の電池を有する、デジタルカメラ、デジタルビデオカメラ、携帯電話、ＰＤＡなどにも適用が可能である。
【図面の簡単な説明】
【００２３】
【図１】本発明に係る、電池残量アイコンもしくは電池残量インジケータの一例を示す図である。
【図２】本発明の第１の実施例に係る、第１の電池の残量が変化したときの電池残量アイコンの変化の一例を示す図である。
【図３】本発明の第２の実施例に係る、第２の電池の残量が変化したときの電池残量アイコンの変化の一例を示す図である。
【図４】本発明の第３の実施例に係る、第１の電池が消耗もしくは交換中であるときに、第２の電池の残量を示す電池残量アイコンの一例を示す図である。
【図５】本発明の第４の実施例に係る、第１の電池が消耗もしくは交換中であるときに、第２の電池の残量を示す電池残量アイコンの一例を示す図である。
【図６】本発明の第５の実施例に係る、第１の電池が消耗もしくは交換中であるときに、第２の電池の残量を示す電池残量アイコンの一例を示す図である。
【図７】本発明の第７の実施例に係る、外部の電源から片方もしくは両方のバッテリに充電中であることを示す電池残量アイコンの一例を示す図である。
【図８】本発明の第８の実施例に係る、片方の電池からもう片方のバッテリへと充電を行っていることを示す電池残量アイコンの一例を示す図である。
【符号の説明】
【００２４】
１０１  電池残量アイコンの枠
１０２〜１０４  電池残量アイコンのセグメント
２０１  電池残量アイコンの枠
２０２〜２０４  電池残量アイコンのセグメント
４０１  電池残量アイコンの枠
５０１  小さい電池残量アイコンの枠
５０２〜５０４  小さい電池残量アイコンのセグメント
５０５  通常の電池残量アイコン
６０１  電池残量アイコンの枠
６０２〜６０４  電池残量アイコンのセグメント
【図１】
2009103564.tif 000003
【図２】
2009103564.tif 000004
【図３】
2009103564.tif 000005
【図４】
2009103564.tif 000006
【図５】
2009103564.tif 000007
【図６】
2009103564.tif 000008
【図７】
2009103564.tif 000009
【図８】
2009103564.tif 000010